(57)【要約】【課題】リリアン編により編成した紐状のものを用いて、形態の自由度が大きく、意匠性やデザイン性に優れた装身用具を得ることができるリリアン編装身用素材の成形方法を提供すること。【解決手段】毛糸をリリアン編により筒状に編成して得たリリアン編装身用素材１を、放射方向に広げた後、少なくとも一部を筒状に巻き取ることにより、リリアン編装身用素材１の径より大径の部分を有する装身用具２を得る。【選択図】図３
2013233252.tif 000002
【特許請求の範囲】
【請求項１】
毛糸をリリアン編により筒状に編成して得たリリアン編装身用素材を、放射方向に広げた後、少なくとも一部を筒状に巻き取ることにより、前記素材の径より大径の部分を有する装身用具を得ることを特徴とするリリアン編装身用素材の成形方法。
【請求項２】
リリアン編装身用素材が、異なる色の毛糸を順に使用してリリアン編により筒状に編成した、前記素材の長手方向に色合いが変化するようにしたものからなることを特徴とする請求項１記載のリリアン編装身用素材の成形方法。
【請求項３】
請求項１又は２記載のリリアン編装身用素材の成形方法に使用するリリアン編装身用素材。
【請求項４】
請求項１又は２記載のリリアン編装身用素材の成形方法によって製作された装身用具。
【発明の詳細な説明】
【技術分野】
【０００１】
本発明は、装身用素材の成形方法並びにその成形方法に使用する装身用素材及びその成形方法によって製作された装身用具に関し、特に、リリアン編装身用素材の成形方法並びにその成形方法に使用するリリアン編装身用素材及びその成形方法によって製作された装身用具に関するものである。
【背景技術】
【０００２】
従来、リリアン編（英語では、「spool knitting」、「corking」、「French knitting」等と呼ばれている。）は、簡易な器具や手だけを使って子供等でも容易に編むことができる編み物の技法で、紐状のもの（i-cord）、例えば、小さなものではアクセサリーから大きなものではマフラーまで製作することができるものである（例えば、特許文献１参照。）。
【先行技術文献】
【特許文献】
【０００３】
【特許文献１】実用新案登録第３１６７４３６号公報
【発明の概要】
【発明が解決しようとする課題】
【０００４】
ところで、リリアン編は、基本的には、編成した紐状のものをそのまま使用するものであり、形態の自由度が小さく、高い意匠性を持たせることは困難であった。
【０００５】
本発明は、リリアン編により編成した紐状のものを用いて、形態の自由度が大きく、意匠性やデザイン性に優れた装身用具を得ることができるリリアン編装身用素材の成形方法並びにその成形方法に使用するリリアン編装身用素材及びその成形方法によって製作された装身用具を提供することを目的とする。
【課題を解決するための手段】
【０００６】
上記目的を達成するため、本発明のリリアン編装身用素材の成形方法は、毛糸をリリアン編により筒状に編成して得たリリアン編装身用素材を、放射方向に広げた後、少なくとも一部を筒状に巻き取ることにより、前記素材の径より大径の部分を有する装身用具を得ることを特徴とする。
【０００７】
この場合において、リリアン編装身用素材が、異なる色の毛糸を順に使用してリリアン編により筒状に編成した、前記素材の長手方向に色合いが変化するようにしたものを用いることができる。
【０００８】
また、本発明のリリアン編装身用素材は、上記のリリアン編装身用素材の成形方法に使用するものである。
【０００９】
また、本発明の装身用具は、上記のリリアン編装身用素材の成形方法によって製作されたものである。
【発明の効果】
【００１０】
本発明のリリアン編装身用素材の成形方法並びにその成形方法に使用するリリアン編装身用素材及びその成形方法によって製作された装身用具によれば、毛糸をリリアン編により筒状に編成して得たリリアン編装身用素材を用いて、形態の自由度が大きく、意匠性に優れた装身用具を得ることができる。
【００１１】
また、リリアン編装身用素材が、異なる色の毛糸を順に使用してリリアン編により筒状に編成した、前記素材の長手方向に色合いが変化するようにしたものを用いることにより、筒状に巻き取ったときに、多彩な色合いが周状に表れる意匠性に優れた装身用具を得ることができる。
【図面の簡単な説明】
【００１２】
【図１】本発明のリリアン編装身用素材の成形方法に使用するリリアン編装身用素材の一例を説明図である。
【図２】同リリアン編装身用素材を放射方向に広げた状態を示す説明図である。
【図３】同放射方向に広げたリリアン編装身用素材を筒状に巻き取った状態を示す説明図である。
【発明を実施するための形態】
【００１３】
以下、本発明のリリアン編装身用素材の成形方法及びその成形方法によって製作された装身用具の実施の形態を、図面に基づいて説明する。
【００１４】
図１〜図３に、本発明のリリアン編装身用素材の成形方法による装身用具の製作工程の一実施例を示す。
【００１５】
このリリアン編装身用素材の成形方法は、まず、図１に示すように、毛糸をリリアン編により筒状に編成したリリアン編装身用素材１を得るようにする。
【００１６】
リリアン編に使用する毛糸は、毛糸を羊毛等の獣毛のほか、アクリル、ポリエステル、ナイロン等の合成繊維など、目的とする装身用具によって、任意の素材のものからなり、また、太さや撚りも、任意に選択できるが、装身用具に「ふくらみ」やハリを持たせるためには、繊維長が長く、軽く、弾性（伸縮性）のある糸、例えば、モヘヤを使用し、比較的撚りを少なくしたやや太めの毛糸、例えば、太さが０．１５〜０．１７番手の毛糸を使用することが好ましい。
【００１７】
リリアン編の編み方は、目が詰まった硬い編み方ではなく、リリアン編装身用素材１を放射方向に広げた状態にできるように、比較的大きい編み目（目的とする装身用具によって、数ｍｍ〜３０ｍｍ程度、好ましくは、５ｍｍ〜２０ｍｍ程度、より好ましくは、７ｍｍ〜１５ｍｍ程度。）で、放射方向に広げたときに１つ１つの編み目が独立した形状となるようにハリのある毛糸を使用して編むようにすることが好ましい。
【００１８】
この場合において、リリアン編装身用素材１には、単色の毛糸を使用したもののほか、異なる色の毛糸を順に使用してリリアン編により筒状に編成した、リリアン編装身用素材１の長手方向に色合いが変化するようにしたものを用いることができる。
リリアン編装身用素材１の長手方向に色合いが変化するようにしたものを用いることにより、後述の工程で、リリアン編装身用素材１を筒状に巻き取ったときに、多彩な色合いが周状に表れる意匠性に優れた装身用具を得ることができる。
【００１９】
このようにして得た筒状に編成したリリアン編装身用素材１を、図２に示すように、放射方向に広げた後、図３に示すように、少なくとも一部を筒状に巻き取ることにより、筒状に編成したリリアン編装身用素材１の径より大径の部分を有する装身用具２を得ることができる。
【００２０】
ここで、このようにして製作できる装身用具２としては、例えば、全体を筒状に巻き取る（必要に応じて、その際に、ゴム帯又は同効の弾性体からなる環状弾性芯材（図示省略）を内包することができる。）ことにより、髪留め（シュシュ）、ブレスレット、マフラー、ネックウォーマー等の環状の装身用具２を得ることができるほか、例えば、一端側を筒状に巻き取り、他端側を筒状に巻き取ることなく巾着状に縛ることにより、帽子等の一端側が開口した環状をし、他端側が閉鎖した装身用具（図示省略）を得ることができる。
【００２１】
そして、本発明のリリアン編装身用素材の成形方法は、筒状に編成したリリアン編装身用素材１を購入した者が、容易に装身用具を製作することができる。
【００２２】
以上、本発明のリリアン編装身用素材の成形方法並びにその成形方法に使用するリリアン編装身用素材及びその成形方法によって製作された装身用具について、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明のリリアン編装身用素材の成形方法並びにその成形方法に使用するリリアン編装身用素材及びその成形方法によって製作された装身用具は、リリアン編により編成した紐状のものを用いて、形態の自由度が大きく、意匠性やデザイン性に優れた装身用具を得ることができることから、装身用具の用途に好適に用いることができるほか、リリアン編装身用素材の状態で消費者に提供することもできる。
【符号の説明】
【００２４】
１  リリアン編装身用素材
２  装身用具
【図２】
2013233252.tif 000003
【図３】
2013233252.tif 000004
【図１】
2013233252.tif 000005